(57)【要約】      （修正有）【課題】生体リズムが皮膚に与える影響をわかりやすく示す情報表示手段を提供する。【解決手段】周期の異なる複数の生体リズムを、それぞれ模式的に示す表示部と、皮膚状態を評価するための複数の指標を、それぞれ模式的に示す表示部と、上記指標によって観察される皮膚状態が、上記各生体リズムによって受ける影響を表示する表示部とを備えた情報表示手段を要旨とする。上記周期の異なる複数の生体リズムが、一日を周期とする生体リズムと、一月を周期とする生体リズムと、一年を周期とする生体リズムと、一生を周期とする生体リズムの四つの生体リズムである。上記表示部が印刷された冊子であるもの、画像として表示されるＴＶカラーモニター、ＣＲＴおよび液晶モニターのいずれかである情報表示手段。【選択図】図３
2004216162.tif 000002
【特許請求の範囲】
【請求項１】
周期の異なる複数の生体リズムを、それぞれ模式的に示す表示部と、上記各生体リズムが皮膚に与える影響を表示する表示部とを備えたことを特徴とする情報表示手段。
【請求項２】
周期の異なる複数の生体リズムを、それぞれ模式的に示す表示部と、皮膚状態を評価するための複数の指標を、それぞれ模式的に示す表示部と、上記各指標によって観察される皮膚状態が、上記各生体リズムによって受ける影響を表示する表示部とを備えたことを特徴とする情報表示手段。
【請求項３】
上記周期の異なる複数の生体リズムが、一日を周期とする生体リズムと、一月を周期とする生体リズムと、一年を周期とする生体リズムと、一生を周期とする生体リズムの四つの生体リズムである請求項１または２に記載の情報表示手段。
【請求項４】
上記情報表示手段が、表示部が印刷されたシートを綴じ合わせた冊子である請求項１〜３のいずれか一項に記載の情報表示手段。
【請求項５】
上記情報表示手段が、表示部が画像として表示されるＴＶカラーモニター，ＣＲＴおよび液晶モニターのいずれかである請求項１〜３のいずれか一項に記載の情報表示手段。
【請求項６】
上記画像がデータとして記憶され、そのデータを随時取り出す操作と、そのデータに随時書き込んで内容を付加する操作ができるようになっている請求項５記載の情報表示手段。
【発明の詳細な説明】
【技術分野】
【０００１】
本発明は、生体リズムが皮膚に与える影響等を表示する情報表示手段に関するものである。
【背景技術】
【０００２】
従来から、化粧品販売では、専門の販売員が、店頭あるいは訪問販売先で、化粧品メーカーから配布された化粧品販売用情報シートにもとづいて顧客に化粧品の売り込みを行っている。上記化粧品販売用情報シートは、通常、長方形の厚紙もしくは薄いプラスチック板からなるシートの表面に、化粧品の種類とその使用方法を模式的に印刷したもので、販売員は、まず顧客の肌の状態を問診し、その結果に応じて、最適な化粧品を推奨するとともに、このシートを顧客に提示してその使用方法を説明するようにしている。
【発明の開示】
【発明が解決しようとする課題】
【０００３】
しかしながら、各メーカーが多種多様の化粧品を販売し、各メーカーがそれぞれ近似した構成と内容の化粧品販売用情報シートを用いて販売促進をしている現状では、化粧品自体の独自性よりも、いかに顧客のニーズに沿ったカウンセリングを印象的に行うことができるかが顧客の購買力を引き出す大きなポイントとなる。そこで、最近では、専用の測定機器を用いて皮脂量，水分量等の皮膚特性を測定し、その測定結果にもとづいて皮膚状態をカウンセリングすることが行われている。たしかに、この方法によれば、客観的なデータが得られ、しかも測定結果への興味が顧客の能動性を引き出すので効果的といえる。しかし、上記測定結果は、あくまでも測定時のものであり、それがその人の皮膚状態である、と固定的に捉えるのは好ましくないことが判明した。
【０００４】
すなわち、女性の体は、周期の異なる複数の生体リズムによって複合的な影響を受け、皮膚も周期的に大きな影響を受けていることが最近の研究で明らかになっている。そこで、よりきめの細かい、質の高いカウンセリングを行うために、カウンセリングにおいて、生体リズムが皮膚に及ぼす影響を加味することが望まれている。しかし、全国に分散する膨大な数の化粧品販売店の各販売員に対し、大本のメーカーが上記要求に応えうる人材教育を行うことは多大な労力と時間を要する。
【０００５】
本発明は、このような事情に鑑みなされたもので、生体リズムが皮膚に与える影響をわかりやすく示す情報表示手段の提供をその目的とする。
【課題を解決するための手段】
【０００６】
上記の目的を達成するため、本発明は、周期の異なる複数の生体リズムを、それぞれ模式的に示す表示部と、上記各生体リズムが皮膚に与える影響を表示する表示部とを備えた情報表示手段を第１の要旨とし、周期の異なる複数の生体リズムを、それぞれ模式的に示す表示部と、皮膚状態を評価するための複数の指標を、それぞれ模式的に示す表示部と、上記各指標によって観察される皮膚状態が、上記各生体リズムによって受ける影響を表示する表示部とを備えた情報表示手段を第２の要旨とする。
【０００７】
また、本発明は、これらの情報表示手段のなかでも、特に、上記周期の異なる複数の生体リズムが、一日を周期とする生体リズムと、一月を周期とする生体リズムと、一年を周期とする生体リズムと、一生を周期とする生体リズムの四つの生体リズムである情報表示手段を第３の要旨とする。
【０００８】
さらに、本発明は、これらの情報表示手段のなかでも、特に、上記情報表示手段が、表示部が印刷されたシートを綴じ合わせた冊子であるものを第４の要旨とし、上記情報表示手段が、表示部が画像として表示されるＴＶカラーモニター，ＣＲＴおよび液晶モニターのいずれかであるものを第５の要旨とする。
【０００９】
そして、本発明は、上記第５の要旨である情報表示手段のなかでも、特に、上記画像がデータとして記憶され、そのデータを随時取り出す操作と、そのデータに随時書き込んで内容を付加する操作ができるようになっているものを第６の要旨とする。
【発明の効果】
【００１０】
すなわち、本発明の情報表示手段によれば、生体リズムが皮膚に与える影響をわかりやすく提示することができる。したがって、充分に教育を受けた熟練販売員でなくても、上記情報表示手段を用い、顧客に応じて、最適なカウンセリングを、生体リズムという新しい視点を加味しながらスムーズに行うことができ、質の高いカウンセリングサービスを達成することができる。また、顧客にとっても、短時間で優れたカウンセリング情報を受け取ることができる。
【発明を実施するための最良の形態】
【００１１】
つぎに、本発明の実施の形態について説明する。
【００１２】
図１は、本発明の一実施の形態であるカウンセリング用の冊子１を示している。この冊子１は、長方形に切断されたシート状の厚紙を横長に使い、左上端で綴じ合わせたもので、その表紙１ａには、「生体リズムを中心とした美容・カウンセリング情報」の見出し２が表示されている。
【００１３】
そして、上記表紙１のつぎの頁（第１頁）には、図２に示すように、左側に、人間の体に影響を与える各種生体リズムのうち、女性にとって重要なものの概要をまとめた概要図３が表示されている。また、その右側には、左の概要図３に示された生体リズムのうち、最も基本的な「細胞リズム（セルリズム）」について、より分かりやすくまとめたグラフ４，５が上下に示されている。なお、上のグラフ４は、ほぼ４５０時間を周期とするセルリズムの一サイクルを円で示したものであり、下のグラフ５は、上記セルリズムの一サイクルを、細胞の活性度の経時的な変化として線で示したものである。この頁の概要図３，グラフ４，５によって、女性の体に影響を与える生体リズムの大枠を把握することができるようになっている。
【００１４】
つぎの第２頁には、図３に示すように、前頁の概要図３に示された生体リズムのうち、一日のリズムが皮膚に与える影響と、その手入れ方法が表示されている。
【００１５】
すなわち、この頁の左上には、「生体リズムとお手入れ（一日のリズム）」の小見出し６が付されており、その下の左側には、「一日のリズム」という概念を印象づけるための模式的なマーク７が表示されている。このマーク７は、「一日のリズム」の文字８を上に配し、朝と夜という２つの変化を印象づける線グラフ的な図柄９を下に配し、これらを四角枠１０で囲い、その上に「ＷＡＶＥ−１」の文字１１を添えた構成になっている。
【００１６】
また、この頁の中央は、上下２欄に分かれており、上の欄には、「朝のお手入れ」の小見出し１２が付され、その下に、朝、皮膚に対し行うべき手入れ方法が箇条書きされている。また、下の欄には、「夜のお手入れ」の小見出し１３が付され、その下に、夜、皮膚に対し行うべき手入れ方法が箇条書きされている。
【００１７】
さらに、この頁の右側には、生体が一日でどのように変化するか、あるいはなぜ朝，夜の手入れがポイントになるかを裏付ける図表（例えば皮膚温度の一日の変化，発汗反応の一日の変化等）１４およびそれらの説明１５が表示されている。
【００１８】
つぎの第３頁には、図４に示すように、第１頁（図２参照）の概要図３に示された生体リズムのうち、一月のリズムが皮膚に与える影響が表示されている。
【００１９】
すなわち、この頁の左上には、「生体リズムとお手入れ（一月のリズム）その１」の小見出し１６が付されており、その下の左側には、「一月のリズム」という概念を印象づけるための模式的なマーク１７が表示されている。このマーク１７は、「月度のリズム」の文字１８を上に配し、一月を周期とする女性の基礎体温の変化を模した線グラフ的な図柄１９を下に配し、これらを四角枠２０で囲い、その上に「ＷＡＶＥ−２」の文字２１を添えた構成になっている。
【００２０】
また、この頁の右側には、女性の体特有の、一月を周期とする生理変化を示す３本の曲線（基礎体温の変化を示す曲線Ａと、エストロゲン分泌量の変化を示す曲線Ｂと、プロゲストロン分泌量の変化を示す曲線Ｃ）からなる線グラフ２２と、上記線グラフ２２に基づき一月を「生理期」，「卵胞期」，「黄体期」の３つに区分し、各時期の特徴を説明した図表２３とが、上下に、同一の時間軸で表示されている。この線グラフ２２と図表２３によって、一月を周期とする生体リズムによって女性の体がどのような変化を受けるかを把握できるようになっている。
【００２１】
つぎの第４頁，第５頁には、第３頁（図４参照）に示された一月のリズムの、「生理期」，「卵胞期」，「黄体期」の各時期における皮膚の手入れ方法が、順次表示されている。
【００２２】
すなわち、第４頁の左上には、図５に示すように、「生体リズムとお手入れ（一月のリズム）その２」の小見出し２４が付されており、その下の左側には、「一月のリズム」のマーク１７が表示されている。そして、この頁の中央は、上下２欄に分かれており、上の欄には、「生理期のお手入れ」の小見出し２５が付され、その下に、生理期に皮膚に対し行うべき手入れ方法が箇条書きされている。また、下の欄には、「卵胞期のお手入れ」の小見出し２６が付され、その下に、卵胞期に皮膚に対し行うべき手入れ方法が箇条書きされている。
【００２３】
さらに、この頁の右側には、生理期および卵胞期における皮膚状態の変化等を裏付ける図表等２７およびそれらの説明２８が表示されている。
【００２４】
そして、第５頁の左上には、図６に示すように、「生体リズムとお手入れ（一月のリズム）その３」の小見出し２９が付されており、第４頁と同様の配置で、「一月のリズム」のマーク１７と、黄体期に皮膚に対し行うべき手入れ方法３０と、これを裏付ける図表３１および説明３２が表示されている。
【００２５】
つぎの第６頁には、図７に示すように、第１頁（図２参照）の概要図３に示された生体リズムのうち、一年のリズムが皮膚に与える影響が表示されている。
【００２６】
すなわち、この頁の左上には、「生体リズムとお手入れ（一年のリズム）その１」の小見出し３３が付されており、その下の左側には、「一年のリズム」という概念を印象づけるための模式的なマーク３４が表示されている。このマーク３４は、「季節のリズム」の文字３５を上に配し、春夏秋冬という４つの変化を印象づける線グラフ的な図柄３６を下に配し、これらを四角枠３７で囲い、その上に「ＷＡＶＥ−３」の文字３８を添えた構成になっている。
【００２７】
また、この頁の右側には、女性の体特有の、一年を周期とする生理変化を示す３本の曲線（皮脂量の変化を示す曲線Ａと、皮下脂肪の厚さの変化を示す曲線Ｂと、水分蒸散量の変化を示す曲線Ｃ）からなる線グラフ３９と、一年を「春期」，「夏期」，「秋期」，「冬期」の４つに区分し、各時期の特徴等を簡単に示した図表４０とが、上下に、同一の時間軸で表示されている。この線グラフ３９と図表４０によって、一年を周期とする生体リズムによって女性の体がどのような変化を受けるかを把握できるようになっている。
【００２８】
そして、つぎの第７頁には、図８に示すように、「春期」，「夏期」，「秋期」，「冬期」の各時期における皮膚の手入れ方法が表示されている。すなわち、この頁の左上には、「生体リズムとお手入れ（一年のリズム）その２」の小見出し４１が付されており、その下の左側には、「一年のリズム」のマーク３４が表示されている。そして、この頁の中央は、上下方向に４欄に分かれており、各欄には上から順に、「春のお手入れ」，「夏のお手入れ」，「秋のお手入れ」，「冬のお手入れ」の小見出し４２〜４５が付され、各小見出し４２〜４５の下には、それぞれの季節に皮膚に対して行うべき手入れ方法が箇条書きされている。また、この頁の右側には、春夏秋冬における皮膚状態の変化等を裏付ける図表等４６およびそれらの説明４７が表示されている。
【００２９】
つぎの第８頁には、図９に示すように、第１頁（図２参照）の概要図３に示された生体リズムのうち、一生のリズムが皮膚に与える影響が表示されている。
【００３０】
すなわち、この頁の左上には、「生体リズムとお手入れ（一生のリズム）その１」の小見出し４８が付されており、その下の左側には、「一生のリズム」という概念を印象づけるための模式的なマーク４９が表示されている。このマーク４９は、「加齢のリズム」の文字５０を上に配し、人の一生の変化を印象づける線グラフ的な図柄５１を下に配し、これらを四角枠５２で囲い、その上に「ＷＡＶＥ−４」の文字５３を添えた構成になっている。
【００３１】
また、この頁の右側には、女性の体が年齢とともに変化する様子をまとめた図表５４が表示されている。そして、この図表５４では、変化する一生を、「〜２０代」，「３０代」，「４０代」，「５０代」，「６０代〜」の５つに区分している。
【００３２】
つぎの第９頁，第１０頁には、第８頁（図９参照）に示された一生のリズムの、「〜２０代」，「３０代」，「４０代」，「５０代」，「６０代〜」の各時期における皮膚の手入れ方法が、順次表示されている。
【００３３】
すなわち、第９頁の左上には、図１０に示すように、「生体リズムとお手入れ（一生のリズム）その２」の小見出し５５が付されており、その下の左側には、「一生のリズム」のマーク４９が表示されている。そして、この頁の中央は、上下３欄に分かれており、上から順に、「〜２０代のお手入れ」，「３０代のお手入れ」，「４０代のお手入れ」の小見出し５６〜５８が付され、各小見出し５６〜５８の下に、それぞれの年代で皮膚に対し行うべき手入れ方法が箇条書きされている。また、この頁の右側には、４０代までの皮膚状態の変化等を裏付ける図表５９およびそれらの説明６０が表示されている。
【００３４】
そして、第１０頁の左上には、図１１に示すように、「生体リズムとお手入れ（一生のリズム）その３」の小見出し６１が付されており、その下の左側には、「一生のリズム」のマーク４９が表示されている。そして、この頁の中央は、上下２欄に分かれており、上の欄には「５０代のお手入れ」の小見出し６２が付され、下の欄には「６０代〜のお手入れ」の小見出し６３が付されている。そして、各小見出し６２，６３の下に、それぞれの年代で皮膚に対し行うべき手入れ方法が箇条書きされている。特に、５０代では、「ＴＣＬ」（＝更年期）特有の症状が生じるため、それについての説明が付記されている。また、６０代以上では皮膚の状態よりも精神的な状態を高めることに焦点を合わせ、新しい概念「ＥＸ」（ＥＸＵＢＥＲＡＮＴ＝情熱，活力，愛情等があふれるばかりの状態になっていることを意味する）を提案している。このＥＸについての説明を、下の概念図６４で示している。
【００３５】
また、この頁の右側には、簡単な皮膚の更年期指数のテスト表６５と、閉経後に体に表れる症状の説明図６６とが表示されている。上記テスト表６５は、更年期に表れる代表的な症例を所定数だけ選んで縦の欄に示し、各欄の右側に、症状の程度を複数段階で選択できるようにし、その選択肢ごとに予め点数をきめておき、顧客に、該当する選択肢を選ばせ、最終的な点の合計により、その人の更年期指数を判定するものである。これにより、顧客の、更年期に対する認識を高め、更年期に対する備えを勧めることができる。
【００３６】
つぎの頁以降は、特定の指標ごとに皮膚状態を観察した場合に、これまで述べてきた生体リズムによってどのような影響を受け、どのような手入れを行う必要があるかについてまとめたものである。
【００３７】
すなわち、第１１頁には、図１２に示すように、「疲労」という指標によって皮膚状態を観察した場合に、皮膚の疲労が、生体リズムによってどのような影響を受け、これに対しどのような手入れを行ったらよいかについてまとめたものであり、左上に、「疲労」という概念を印象づけるための模式的なマーク７０が表示されている。このマーク７０は、「疲労チャート」の文字７１を上に配し、円を周方向に３等分し、各部分に「生理疲れ」，「季節疲れ」，「歳疲れ」の文字を入れたシンボル的な図柄７２を下に配し、これらを四角枠７３で囲った構成になっている。そして、このマーク７０の右側には、「素肌にも疲労が起きます………」との「疲労」を指標とすることの説明７４が表示されている。
【００３８】
また、この頁の中央には、左から右に、「一日のリズム」のマーク７、「一月のリズム」のマーク１７、「一年のリズム」のマーク３４、「一生のリズム」のマーク４９が表示されており、それぞれのマーク７，１７，３４，４９の下に、これらの生体リズムが皮膚の疲れに対して与える影響と、そのための皮膚の手入れ方法についての説明７５が付されている。
【００３９】
第１２頁は、図１３に示すように、同様の配置で、「血行」という指標によって皮膚状態を観察した場合に、血行が、生体リズムによってどのような影響を受け、これに対しどのような手入れを行ったらよいかについてまとめたものであり、左上に、「血行」という概念を印象づけるための模式的なマーク７７が表示されている。このマーク７７は、「血行チャート」の文字７８を上に配し、「血行」についてのシンボル的な図柄７９を下に配し、これらを四角枠８０で囲った構成になっている。そして、このマーク７７の右側には、「血行不良は、素肌に………」との「血行」を指標とすることの説明８１が表示されている。そして、その下には、前頁と同様、生体リズムを示す４つのマーク７，１７，３４，４９が並び、それぞれの下に、その生体リズムが血行に対して与える影響と、そのための皮膚の手入れ方法についての説明８２が付されている。
【００４０】
以下の第１３頁〜第２０頁も、同様の配置で、異なる指標ごとに、それが生体リズムによってどのような影響を受け、これに対しどのような手入れを行ったらよいかについてまとめている。
【００４１】
すなわち、第１３頁は、図１４に示すように、「乾燥」を指標としてまとめたものであり、左上には、「乾燥」という概念を印象づけるための模式的なマーク８３が表示されている。このマーク８３は、「乾燥チャート」の文字８４を上に配し、円を２分割して左半分に「本来的な乾燥肌」、右半分に「全女性に乾燥時」の文字を入れたシンボル的な図柄８５を下に配し、これらを四角枠８６で囲った構成になっている。これは、乾燥肌が、従来はその人自身の資質として固定的に捉えられていたのに対し、「本来的な乾燥肌」の人以外の人も、生体リズムの影響を受けて一時的に乾燥肌になる、というこのカウンセリング独自の考え方をアピールしたものである。他の表示は、説明の内容を除いて第１１頁，第１２頁と共通している。
【００４２】
また、第１４頁は、図１５に示すように、「皮脂」を指標としてまとめたものであり、左上には、「皮脂」という概念を印象づけるための模式的なマーク８７が表示されている。このマーク８７は、「皮脂チャート」の文字８８を上に配し、「皮脂」についてのシンボル的な図柄８９を下に配し、これらを四角枠９０で囲った構成になっている。他の表示は、説明の内容を除いて第１１頁〜第１３頁と共通している。
【００４３】
同様に、第１５頁は、図１６に示すように、「肌あれ」を指標としてまとめたものであり、左上には、「肌あれ」という概念を印象づけるための模式的なマーク９１が表示されている。このマーク９１は、「肌あれチャート」の文字９２を上に配し、「肌あれ」についてのシンボル的な図柄９３を下に配し、これらを四角枠９４で囲った構成になっている。他の表示は、説明の内容を除いて第１１頁〜第１４頁と共通している。
【００４４】
同様に、第１６頁は、図１７に示すように、「しわ」を指標としてまとめたものであり、左上には、「しわ」という概念を印象づけるための模式的なマーク９５が表示されている。このマーク９５は、「シワチャート」の文字９６を上に配し、「しわ」についてのシンボル的な図柄９７を下に配し、これらを四角枠９８で囲った構成になっている。他の表示は、説明の内容を除いて第１１頁〜第１５頁と共通している。
【００４５】
同様に、第１７頁は、図１８に示すように、「弛み」を指標としてまとめたものであり、左上には、「弛み」という概念を印象づけるための模式的なマーク９９が表示されている。このマーク９９は、「弛みチャート」の文字１００を上に配し、弛みの原因となるホルモン量の低下を示す曲線Ａとコラーゲン繊維量の低下を示す曲線Ｂとを線グラフとして示す図柄１０１を下に配し、これらを四角枠１０２で囲った構成になっている。他の表示は、説明の内容を除いて第１１頁〜第１６頁と共通している。ただし、生体リズムのうち、「一日のリズム」，「一月のリズム」および「一年のリズム」が弛みに影響することは少ないため、これらを示すマーク７，１７，３４の下には、その影響と手入れ方法の説明書きはない。
【００４６】
同様に、第１８頁は、図１９に示すように、「しみ」を指標としてまとめたものであり、左上には、「しみ」という概念を印象づけるための模式的なマーク１０３が表示されている。このマーク１０３は、「シミチャート」の文字１０４を上に配し、「しみ」についてのシンボル的な図柄１０５を下に配し、これらを四角枠１０６で囲った構成になっている。他の表示は、説明の内容を除いて第１１頁〜第１７頁と共通している。ただし、生体リズムのうち、「一日のリズム」がしみに影響することは少ないため、これを示すマーク７の下には、その影響と手入れ方法の説明書きはない。
【００４７】
同様に、第１９頁は、図２０に示すように、「くすみ」を指標としてまとめたものであり、左上には、「くすみ」という概念を印象づけるための模式的なマーク１０７が表示されている。このマーク１０７は、「くすみチャート」の文字１０８を上に配し、円を周方向に４等分して各部分にくすみの原因となる「メラニン」，「カロチン」，「血行血流」，「角質状況」の文字を入れたシンボル的な図柄１０９を下に配し、これらを四角枠１１０で囲った構成になっている。他の表示は、説明の内容を除いて第１１頁〜第１８頁と共通している。
【００４８】
同様に、第２０頁は、図２１に示すように、「敏感」を指標としてまとめたものであり、左上には、「敏感」という概念を印象づけるための模式的なマーク１１１が表示されている。このマーク１１１は、「敏感チャート」の文字１１２を上に配し、円を２等分して左半分に「本来的な敏感肌」、右半分に「全女性に敏感時」の文字を入れたシンボル的な図柄１１３を下に配し、これらを四角枠１１４で囲った構成になっている。他の表示は、説明の内容を除いて第１１頁〜第１９頁と共通している。これも、前記「乾燥肌」の場合と同様、「敏感肌」が、従来はその人自身の資質として固定的に捉えられていたのに対し、「本来的な敏感肌」の人以外の人も、生体リズムの影響を受けて一時的に敏感肌になる、というこのカウンセリング独自の考え方をアピールしたものである。なお、生体リズムのうち、「一日のリズム」および「一年のリズム」が敏感肌に影響することは少ないため、これらを示すマーク７，３４の下には、その影響と手入れ方法の説明書きはない。
【００４９】
このように構成された上記冊子１を用い、化粧品販売員は、店頭もしくは訪問販売先において、例えばつぎのようにして顧客に対しカウンセリングを行うことができる。すなわち、比較的漠然と皮膚の手入れ方法について指導を求める顧客に対しては、上記冊子１の前半部分（第１頁〜第１０頁）に従って、女性の体に影響を与える生体リズムの概要を説明し、各生体リズムに合わせた皮膚の手入れ方法を、順次カウンセリングするようにする。なお、各生体リズムに合わせた具体的な皮膚の手入れ方法として、例えば下記の表１〜表３に示す特殊な手入れ方法を指導することもできる。そして、これらの詳細な説明を、上記冊子１の各手入れ方法の説明部分に加えることができる。
【００５０】
【表１】
2004216162.tif 000003
【００５１】
【表２】
2004216162.tif 000004
【００５２】
【表３】
2004216162.tif 000005
【００５３】
また、自分の皮膚状態において特に気になる指標（乾燥，血行等）があり、それについての重点的なカウンセリングを望む顧客に対しては、上記冊子１の後半部分（第１１頁〜第２０頁）の中から、該当する指標の頁を開き、その指標についての生体リズムの影響に言及しながら適正な手入れ方法をカウンセリングするようにする。このとき、必要に応じて、前半部分の適宜の部分を開いて詳細な手入れ方法を指導するようにすることが好ましい。
【００５４】
そして、時間的余裕があり、きめ細かいカウンセリングを望む顧客には、顧客の反応を見ながら、上記冊子の前半および後半を全て網羅したカウンセリングを行うようにすることができる。
【００５５】
このように、顧客のニーズに応じて、生体リズムという新しい観点を交えながら、３通りのカウンセリングを行うことができる。
【００５６】
なお、上記一冊の冊子１を、前半部分と後半部分で分冊し、必要に応じて使い分けるようにしてもよい。また、いずれか一方の分冊のみを用いるようにしても差し支えはない。
【００５７】
また、上記の例では、冊子１において、皮膚状態に影響を与える生体リズムとして、「一日のリズム」，「一月のリズム」，「一年のリズム」，「一生のリズム」の４つのリズムをあげているが、生体リズムの種類は、周期の異なる２種以上のものを組み合わせていればどのような組み合わせであっても差し支えはない。そして、これらのリズム以外に、最も基本となる「細胞のリズム」、あるいは特殊ではあるけれども多くの女性が通過する「出産のリズム」等を加えることができる。ただし、上記「細胞のリズム」を加える場合には、例えば図２２（ａ）に示すような、「細胞のリズム」を印象づけるための模式的なマーク１２０を用いる。このマーク１２０は、「細胞のリズム」の文字１２１を上に配し、細胞リズムの一サイクルを円で示したグラフのシンボル的な図柄１２２を下に配し、これらを四角枠１２３で囲い、その上に「ＷＡＶＥ−０」の文字１２４を添えた構成になっている。また、上記「出産のリズム」を加える場合には、例えば図２２（ｂ）に示すような、「出産のリズム」を印象づけるための模式的なマーク１２５を用いる。このマーク１２５は、「出産のリズム」の文字１２６を上に配し、出産に伴う身体的変化を印象づける線グラフ的な図柄１２７を下に配し、これらを四角枠１２８で囲い、その上に「ＷＡＶＥ−５」の文字１２９を添えた構成になっている。
【００５８】
さらに、上記の例では、皮膚状態を観察する場合の指標として、「疲労」，「血行」，「乾燥」，「皮脂」，「肌あれ」，「しわ」，「弛み」，「しみ」，「くすみ」および「敏感」の１０個の指標をあげて冊子１に表示しているが、これらの指標は、２種類以上であれば、その数および組み合わせ方はどのようになっていても差し支えはない。
【００５９】
なお、上記冊子１に用いた各マーク，説明，図表等の種類，内容，配置等は、上記の例に限られることはなく、適宜に設定される。ただし、手際よく、わかりやすくカウンセリングを行うために、生体リズムを説明する場合には、必ず各生体リズムの概念を模式的に示すマークを用いるようにし、皮膚状態を示す指標について説明する場合には、必ず各指標を模式的に示すマークを用いるようにする。
【００６０】
また、上記の例では、カウンセリングに用いる情報を、冊子１という印刷物を介して表現しているが、必ずしもこのような印刷物の形態にする必要はなく、各マークや説明，図表等の表示部が、画像として表示されるＴＶカラーモニターや、ＣＲＴ，液晶モニター等、各種の画像装置を用いることができる。そして、これらの画像は、コンピュータ等にデータとして記憶させ、随時取り出したり、顧客のカウンセリング結果と併せて蓄積したり、随時書き込んで内容を付加する等の操作によって、より短時間で優れた情報を提供できるようにすることが好適である。
【図面の簡単な説明】
【００６１】
【図１】本発明の一実施例である冊子の説明図である。
【図２】上記冊子の説明図である。
【図３】上記冊子の説明図である。
【図４】上記冊子の説明図である。
【図５】上記冊子の説明図である。
【図６】上記冊子の説明図である。
【図７】上記冊子の説明図である。
【図８】上記冊子の説明図である。
【図９】上記冊子の説明図である。
【図１０】上記冊子の説明図である。
【図１１】上記冊子の説明図である。
【図１２】上記冊子の説明図である。
【図１３】上記冊子の説明図である。
【図１４】上記冊子の説明図である。
【図１５】上記冊子の説明図である。
【図１６】上記冊子の説明図である。
【図１７】上記冊子の説明図である。
【図１８】上記冊子の説明図である。
【図１９】上記冊子の説明図である。
【図２０】上記冊子の説明図である。
【図２１】上記冊子の説明図である。
【図２２】（ａ）および（ｂ）は、ともに本発明の他の実施例である冊子の部分的な説明図である。
【符号の説明】
【００６２】
１  冊子
６，１２，１３  小見出し
７  マーク
１４  図表
１５  説明
【図１】
2004216162.tif 000006
【図２】
2004216162.tif 000007
【図３】
2004216162.tif 000008
【図４】
2004216162.tif 000009
【図５】
2004216162.tif 000010
【図６】
2004216162.tif 000011
【図７】
2004216162.tif 000012
【図８】
2004216162.tif 000013
【図９】
2004216162.tif 000014
【図１０】
2004216162.tif 000015
【図１１】
2004216162.tif 000016
【図１２】
2004216162.tif 000017
【図１３】
2004216162.tif 000018
【図１４】
2004216162.tif 000019
【図１５】
2004216162.tif 000020
【図１６】
2004216162.tif 000021
【図１７】
2004216162.tif 000022
【図１８】
2004216162.tif 000023
【図１９】
2004216162.tif 000024
【図２０】
2004216162.tif 000025
【図２１】
2004216162.tif 000026
【図２２】
2004216162.tif 000027